(57)【要約】【課題】宛先情報を取得する際の表示画面の利用効率および操作効率が良い通信装置を提供する。【解決手段】通信装置１は、表示画面Ｓを有する表示部１１および表示画面Ｓに対する操作を受け付ける入力部１２を含むタッチパネル１０と、タッチパネル１０を制御して送信先の宛先情報を取得する操作制御部２０と、取得された送信先の宛先情報により特定される宛先にデータを送信する通信部５０とを備える。操作制御部２０は、予め設定された１以上の文字と関連付けられた第１のキーを表示画面Ｓに表示し、第１のキーを指定する操作を受け付けた場合に、表示画面Ｓに文字入力画面を表示し、文字入力画面に対する１以上の文字を入力する操作を受け付け、指定された第１のキーと関連付けられた１以上の文字と入力された１以上の文字とで構成される文字列を送信先の宛先情報として取得する。【選択図】図１
2015096989.tif 000002
【特許請求の範囲】
【請求項１】
表示画面を有する表示手段および前記表示画面に対する操作を受け付ける入力手段を含む表示入力手段と、
前記表示入力手段を制御して送信先の宛先情報を取得する制御手段と、
前記取得された送信先の宛先情報により特定される宛先にデータを送信する通信手段と
を備え、
前記制御手段は、予め設定された１以上の文字と関連付けられた第１のキーを前記表示画面に表示し、前記第１のキーを指定する操作を受け付けた場合に、前記表示画面に文字入力画面を表示し、前記文字入力画面に対する１以上の文字を入力する操作を受け付け、前記指定された第１のキーと関連付けられた１以上の文字と前記入力された１以上の文字とで構成される文字列を前記送信先の宛先情報として取得することを特徴とする通信装置。
【請求項２】
前記制御手段は、前記第１のキーを指定する操作を受け付けた場合に、前記指定された第１のキーと関連付けられた１以上の文字を前記表示画面上の宛先表示領域に表示し、前記文字入力画面に対する文字を入力する操作を受け付ける毎に、前記入力された文字を前記宛先表示領域に表示することを特徴とする請求項１に記載の通信装置。
【請求項３】
前記制御手段は、前記第１のキーを指定する操作を受け付けた場合に、前記表示画面に前記宛先表示領域を表示することを特徴とする請求項２に記載の通信装置。
【請求項４】
前記制御手段は、所定の決定操作を受け付けると、その時点で前記宛先表示領域に表示されている文字列を前記送信先の宛先情報として取得することを特徴とする請求項２または３に記載の通信装置。
【請求項５】
前記制御手段は、前記第１のキーに対して１以上の文字を設定する操作を受け付け、前記設定された１以上の文字を前記第１のキーと関連付けて記憶手段に登録し、前記第１のキーと関連付けられた１以上の文字として、前記記憶手段に前記第１のキーと関連付けて登録されている１以上の文字を用いることを特徴とする請求項１から４のいずれか１項に記載の通信装置。
【請求項６】
前記第１のキーを複数有することを特徴とする請求項１から５のいずれか１項に記載の通信装置。
【請求項７】
前記制御手段は、前記表示画面に、前記第１のキーとともに、それぞれ予め設定された宛先情報と関連付けられた１以上の第２のキーを表示し、前記１以上の第２のキーのうちのいずれかを指定する操作を受け付けた場合、前記指定された第２のキーと関連付けられた宛先情報を前記送信先の宛先情報として取得することを特徴とする請求項１から６のいずれか１項に記載の通信装置。
【請求項８】
前記制御手段は、１以上の前記第２のキーが配置された画面上に前記文字入力画面を重畳して表示する場合、前記画面に配置された第２のキーの各々の少なくとも一部分が表示されるような位置に、前記文字入力画面を表示することを特徴とする請求項７に記載の通信装置。
【請求項９】
前記制御手段は、１以上の前記第１のキーが配置された画面上に前記文字入力画面を重畳して表示する場合、前記画面に配置された第１のキーの各々の少なくとも一部分が表示されるような位置に、前記文字入力画面を表示することを特徴とする請求項１から８のいずれか１項に記載の通信装置。
【請求項１０】
前記制御手段は、前記指定された第１のキーと重ならない位置に、前記文字入力画面を表示することを特徴とする請求項１から９のいずれか１項に記載の通信装置。
【請求項１１】
前記制御手段は、１以上の前記第１のキーが配置された画面に含まれるいずれかの第１のキーを指定する操作を受け付けて前記文字入力画面を表示する場合、前記画面と前記文字入力画面とが重ならないように、前記画面を縮小して表示することを特徴とする請求項１から８のいずれか１項に記載の通信装置。
【請求項１２】
前記制御手段は、前記表示画面における前記文字入力画面の表示位置を設定する操作を受け付け、前記設定された表示位置に前記文字入力画面を表示することを特徴とする請求項１から１１のいずれか１項に記載の通信装置。
【請求項１３】
前記文字列は、電話番号であることを特徴とする請求項１から１２のいずれか１項に記載の通信装置。
【請求項１４】
前記文字入力画面は、数字を入力するための複数の数字キーを含むテンキー画面であることを特徴とする請求項１から１３のいずれか１項に記載の通信装置。
【請求項１５】
前記表示入力手段は、タッチパネルであることを特徴とする請求項１から１４のいずれか１項に記載の通信装置。
【請求項１６】
表示画面を有する表示手段および前記表示画面に対する操作を受け付ける入力手段を含む表示入力手段を制御して送信先の宛先情報を取得する制御装置であって、
予め設定された１以上の文字と関連付けられた第１のキーを前記表示画面に表示し、前記第１のキーを指定する操作を受け付けた場合に、前記表示画面に文字入力画面を表示し、前記文字入力画面に対する１以上の文字を入力する操作を受け付け、前記指定された第１のキーと関連付けられた１以上の文字と前記入力された１以上の文字とで構成される文字列を前記送信先の宛先情報として取得する制御手段を有することを特徴とする制御装置。
【請求項１７】
表示画面を有する表示手段および前記表示画面に対する操作を受け付ける入力手段を含む表示入力手段を制御して送信先の宛先情報を取得する制御方法であって、
予め設定された１以上の文字と関連付けられた第１のキーを前記表示画面に表示するステップと、
前記第１のキーを指定する操作を受け付けた場合に、前記表示画面に文字入力画面を表示するステップと、
前記文字入力画面に対する１以上の文字を入力する操作を受け付け、前記指定された第１のキーと関連付けられた１以上の文字と前記入力された１以上の文字とで構成される文字列を前記送信先の宛先情報として取得するステップと
を含むことを特徴とする制御方法。
【請求項１８】
表示画面を有する表示手段および前記表示画面に対する操作を受け付ける入力手段を含む表示入力手段を制御して送信先の宛先情報を取得する制御プログラムであって、
予め設定された１以上の文字と関連付けられた第１のキーを前記表示画面に表示するステップと、
前記第１のキーを指定する操作を受け付けた場合に、前記表示画面に文字入力画面を表示するステップと、
前記文字入力画面に対する１以上の文字を入力する操作を受け付け、前記指定された第１のキーと関連付けられた１以上の文字と前記入力された１以上の文字とで構成される文字列を前記送信先の宛先情報として取得するステップと
をコンピュータに実行させることを特徴とする制御プログラム。
【発明の詳細な説明】
【技術分野】
【０００１】
本発明は、通信装置、制御装置、制御方法、及び制御プログラムに関する。
【背景技術】
【０００２】
タッチパネルを備え、電話番号などの宛先情報を入力するためのキーを当該タッチパネル上に表示する通信装置が知られている。
【０００３】
特許文献１には、携帯電話機において、現在の動作状態（例えば、通常の待ち受けや、着信中）を示す識別子を保持し、識別子が示す動作状態に対応するキー名をタッチパネル付きディスプレイに表示し、表示されているキー名が操作されたとき、そのキー名に対応する動作コマンドを実行するとともに、識別子を更新することにより、操作性を向上させる技術が開示されている。
【先行技術文献】
【特許文献】
【０００４】
【特許文献１】特開２０００−７８２５２号公報
【発明の概要】
【発明が解決しようとする課題】
【０００５】
ところで、表示画面に対する操作により宛先情報を取得する場合、テンキー画面などの文字入力画面を最初から表示画面に表示する構成では、文字入力画面が使用されないときにも、表示画面において文字入力画面分の領域が消費され、表示画面の利用効率が悪い。一方、文字入力画面を表示させるための専用キーを設け、当該専用キーが操作されたときに文字入力画面を表示画面に表示する構成では、文字入力画面を表示させるためだけに１操作ステップを要し、操作効率が悪い。
【０００６】
本発明は、宛先情報を取得する際の表示画面の利用効率および操作効率が良い通信装置、制御装置、制御方法、及び制御プログラムを提供することを目的とする。
【課題を解決するための手段】
【０００７】
本発明に係る通信装置は、表示画面を有する表示手段および前記表示画面に対する操作を受け付ける入力手段を含む表示入力手段と、前記表示入力手段を制御して送信先の宛先情報を取得する制御手段と、前記取得された送信先の宛先情報により特定される宛先にデータを送信する通信手段とを備え、前記制御手段は、予め設定された１以上の文字と関連付けられた第１のキーを前記表示画面に表示し、前記第１のキーを指定する操作を受け付けた場合に、前記表示画面に文字入力画面を表示し、前記文字入力画面に対する１以上の文字を入力する操作を受け付け、前記指定された第１のキーと関連付けられた１以上の文字と前記入力された１以上の文字とで構成される文字列を前記送信先の宛先情報として取得することを特徴とする。
【０００８】
本発明に係る制御装置は、表示画面を有する表示手段および前記表示画面に対する操作を受け付ける入力手段を含む表示入力手段を制御して送信先の宛先情報を取得する制御装置であって、予め設定された１以上の文字と関連付けられた第１のキーを前記表示画面に表示し、前記第１のキーを指定する操作を受け付けた場合に、前記表示画面に文字入力画面を表示し、前記文字入力画面に対する１以上の文字を入力する操作を受け付け、前記指定された第１のキーと関連付けられた１以上の文字と前記入力された１以上の文字とで構成される文字列を前記送信先の宛先情報として取得する制御手段を有することを特徴とする。
【０００９】
本発明に係る制御方法は、表示画面を有する表示手段および前記表示画面に対する操作を受け付ける入力手段を含む表示入力手段を制御して送信先の宛先情報を取得する制御方法であって、予め設定された１以上の文字と関連付けられた第１のキーを前記表示画面に表示するステップと、前記第１のキーを指定する操作を受け付けた場合に、前記表示画面に文字入力画面を表示するステップと、前記文字入力画面に対する１以上の文字を入力する操作を受け付け、前記指定された第１のキーと関連付けられた１以上の文字と前記入力された１以上の文字とで構成される文字列を前記送信先の宛先情報として取得するステップとを含むことを特徴とする。
【００１０】
本発明に係る制御プログラムは、表示画面を有する表示手段および前記表示画面に対する操作を受け付ける入力手段を含む表示入力手段を制御して送信先の宛先情報を取得する制御プログラムであって、予め設定された１以上の文字と関連付けられた第１のキーを前記表示画面に表示するステップと、前記第１のキーを指定する操作を受け付けた場合に、前記表示画面に文字入力画面を表示するステップと、前記文字入力画面に対する１以上の文字を入力する操作を受け付け、前記指定された第１のキーと関連付けられた１以上の文字と前記入力された１以上の文字とで構成される文字列を前記送信先の宛先情報として取得するステップとをコンピュータに実行させることを特徴とする。
【発明の効果】
【００１１】
本発明によれば、宛先情報を取得する際の表示画面の利用効率および操作効率が良い通信装置、制御装置、制御方法、及び制御プログラムを提供することができる。
【図面の簡単な説明】
【００１２】
【図１】実施の形態１に係る通信装置の構成を示すブロック図である。
【図２】通信装置の送信動作を示すフローチャートである。
【図３】図２のステップＳ２０１における宛先番号取得動作を示すフローチャートである。
【図４】タッチパネルの表示画面に表示される画面を示す図である。
【図５】宛先情報記憶部に記憶される宛先情報テーブルを示す図である。
【図６】ファクス送信画面を示す図である。
【図７】ワンタッチ番号「００３」のワンタッチキーが押下された場合のファクス送信画面の例を示す図である。
【図８】宛先編集画面を示す図である。
【図９】宛先名称編集画面を示す図である。
【図１０】宛先番号編集画面を示す図である。
【図１１】ワンタッチ番号「０００」のワンタッチキーが押下された場合のファクス送信画面の例を示す図である。
【図１２】宛先編集動作を示すフローチャートである。
【図１３】宛先番号取得動作を示すフローチャートである。
【図１４】図１３のステップＳ１３０６における宛先番号入力動作を示すフローチャートである。
【図１５】ワンタッチ番号「０００」のワンタッチキーが押下された場合のファクス送信画面の別の例を示す図である。
【図１６】電子メール送信画面を示す図である。
【図１７】実施の形態２におけるタッチパネルの表示画面に表示される画面を示す図である。
【図１８】実施の形態２における宛先情報記憶部に記憶される宛先情報テーブルを示す図である。
【図１９】実施の形態２におけるファクス送信画面を示す図である。
【図２０】実施の形態２における、ワンタッチ番号「０００」のワンタッチキーが押下された場合のファクス送信画面の例を示す図である。
【図２１】実施の形態２における、ワンタッチ番号「００１」のワンタッチキーが押下された場合のファクス送信画面の例を示す図である。
【図２２】実施の形態２における宛先番号取得動作を示すフローチャートである。
【図２３】ファクス送信画面の変形例を示す図である。
【図２４】ファクス送信画面の別の変形例を示す図である。
【発明を実施するための形態】
【００１３】
以下、本発明の実施の形態を図面に従って説明する。
実施の形態１．
図１は、実施の形態１に係る通信装置１の構成を示すブロック図である。通信装置１は、送信先の宛先情報を取得し、当該宛先情報で特定される宛先にデータを送信する装置であり、ここではファクシミリ装置である。図１において、通信装置１は、表示入力手段としてのタッチパネル１０、操作制御部２０、宛先情報記憶部３０、原稿読取部４０、および通信部５０を備える。
【００１４】
タッチパネル１０は、表示画面Ｓを有する表示部１１と、表示画面Ｓに対する操作を受け付ける入力部１２とを含む。表示部１１は、操作制御部２０から画面データを受け取って表示画面Ｓに表示する。入力部１２は、表示画面Ｓにおいて押下またはタッチされた位置を検出し、検出結果を操作制御部２０に送る。ここでは、入力部１２は、抵抗膜により位置を検出する抵抗膜方式である。
【００１５】
操作制御部２０は、タッチパネル１０を制御して表示画面Ｓに対する操作を受け付け、当該操作に基づいて通信装置１の動作を制御する。具体的には、操作制御部２０は、画面データを作成して表示部１１に送って表示画面Ｓに入力画面を表示させ、入力部１２を介して入力画面に対するユーザからの入力を受け付け、当該入力に基づき、宛先情報記憶部３０、原稿読取部４０、および通信部５０に動作指示を与える。特に、操作制御部２０は、タッチパネル１０を制御して送信先の宛先情報を取得する。具体的には、操作制御部２０は、タッチパネル１０を介して送信先の宛先情報を受け付けて記憶部（または一時記憶部）２１に記憶する。送信先の宛先情報は、通信部５０の送信の宛先を特定するための情報であり、ここでは宛先電話番号（以下、単に「宛先番号」という）である。
【００１６】
宛先情報記憶部３０は、操作制御部２０による処理に用いられる宛先情報などの情報を記憶する。宛先情報記憶部３０は、例えば、ハードディスク装置やフラッシュメモリなどの不揮発性の記憶装置である。
【００１７】
原稿読取部４０は、原稿を読み取り、画像データを生成する。例えば、原稿読取部４０は、原稿の画像を光学的に読み取って原稿の画像データを生成するスキャナである。
【００１８】
通信部５０は、操作制御部２０により取得された送信先の宛先情報で特定される宛先に、送信対象のデータを送信する。ここでは、通信部５０は、ファクシミリ通信手順を制御して、原稿読取部４０により生成された画像データを、操作制御部２０により取得された宛先番号宛に送信する。
【００１９】
図２は、通信装置１の送信動作を示すフローチャートである。図３は、図２のステップＳ２０１における宛先番号取得動作を示すフローチャートである。図４は、タッチパネル１０の表示画面Ｓに表示される画面を示す図である。以下、図２〜図４を参照して、通信装置１の機能および動作について説明する。
【００２０】
図２において、操作制御部２０は、宛先番号取得動作を実行し、タッチパネル１０を介して送信先の宛先番号を取得し、例えば一時記憶部２１に記憶する（Ｓ２０１）。宛先番号取得動作については、後に図３を参照して説明する。
【００２１】
次に、操作制御部２０は、原稿読取部４０に原稿の読取りを指示する（Ｓ２０２）。この指示に応じて、原稿読取部４０は、原稿を読み取って画像データを生成する。
【００２２】
次に、操作制御部２０は、原稿読取部４０により生成された画像データを、ステップＳ２０１で取得された送信先の宛先番号（例えば一時記憶部２１に記憶されている宛先番号）とともに通信部５０に渡し、通信部５０に送信を指示する（Ｓ２０３）。この指示に応じて、通信部５０は、上記画像データを上記送信先の宛先番号宛に、ファクシミリ通信手順により送信する。
【００２３】
図３を参照すると、宛先番号取得動作では、操作制御部２０は、図４（ａ）に示すように、タッチパネル１０の表示画面Ｓに、第１キー４０１と、第２キー群４０２とを表示する（Ｓ３０１）。
【００２４】
第１キー４０１は、予め設定された１以上の文字と関連付けられている。具体的には、第１キー４０１は、宛先番号の一部（例えば前部）を構成する１以上の文字からなる文字列と関連付けられている。この文字列は、例えば、１以上の数字からなる数字列であるが、数字を区切るハイフン等の文字を含んでもよい。第１キー４０１と１以上の文字との関連付けは、宛先情報記憶部３０に記憶される。
【００２５】
第２キー群４０２は、１以上の第２キー４０２ａ，４０２ｂ，４０２ｃ，・・・を含む。１以上の第２キーは、それぞれ予め設定された宛先番号と関連付けられている。この宛先番号は、例えば、複数の数字からなる数字列であるが、数字を区切るハイフン等の文字を含んでもよい。第２キー群４０２に含まれる第２キーと宛先番号との関連付けは、宛先情報記憶部３０に記憶される。
【００２６】
次に、操作制御部２０は、表示画面Ｓに対する操作を受け付ける（Ｓ３０２）。
ステップＳ３０２において第１キー４０１を指定する操作を受け付けた場合、操作制御部２０は、表示画面Ｓに文字入力画面を表示し、文字入力画面に対する１以上の文字を入力する操作を受け付け、指定された第１キー４０１と関連付けられた１以上の文字と、入力された１以上の文字とで構成される文字列を送信先の宛先番号として取得する。例えば、操作制御部２０は、文字入力画面を介して、宛先番号の残部（例えば後部）を構成する１以上の文字からなる文字列の入力を受け付け、第１キー４０１と関連付けられた文字列と入力された文字列とからなる文字列を送信先の宛先番号として取得する。
【００２７】
具体的には、操作制御部２０は、図４（ｂ）に示すように、文字入力画面４０３を表示画面Ｓに表示する（Ｓ３０３）。例えば、操作制御部２０は、第１キー４０１の指定を受け付けると、表示画面Ｓにおける文字入力画面４０３の表示を開始する。または、操作制御部２０は、第１キー４０１が指定されるまで表示画面Ｓに文字入力画面４０３を表示せず、第１キー４０１が指定されると表示画面Ｓに文字入力画面４０３を出現させる。文字入力画面４０３は、文字を入力するための複数の文字キーを含む画面であり、例えば、数字を入力するための複数の数字キーを含むテンキー画面である。
【００２８】
また、操作制御部２０は、図４（ｂ）のように、宛先表示領域（または宛先入力欄）４０４を表示画面Ｓに表示する（Ｓ３０４）。例えば、操作制御部２０は、第１キー４０１の指定を受け付けると、表示画面Ｓにおける宛先表示領域４０４の表示を開始する。または、操作制御部２０は、第１キー４０１が指定されるまで表示画面Ｓに宛先表示領域４０４を表示せず、第１キー４０１が指定されると表示画面Ｓに宛先表示領域４０４を出現させる。宛先表示領域４０４は、入力済みの文字列または番号を表示するための領域である。
【００２９】
また、操作制御部２０は、宛先情報記憶部３０を参照し、指定された第１キー４０１と関連付けられた１以上の文字を宛先表示領域４０４に表示する（Ｓ３０５）。図４（ｂ）では、第１キー４０１と関連付けられた１以上の文字として、「０」が表示されている。
【００３０】
次に、操作制御部２０は、文字入力画面４０３に対する文字を入力する操作を受け付けたかを判断し（Ｓ３０６）、文字を入力する操作を受け付けた場合（Ｓ３０６：Ｙｅｓ）、入力された文字を宛先表示領域４０４に表示し（Ｓ３０７）、ステップＳ３０８に進む。一方、文字を入力する操作を受け付けなかった場合（Ｓ３０６：Ｎｏ）、操作制御部２０は、ステップＳ３０７を実行せずに、ステップＳ３０８に進む。
【００３１】
ステップＳ３０８では、操作制御部２０は、所定の決定操作を受け付けたかを判断する。所定の決定操作は、例えば、表示画面Ｓに表示された所定のキー（例えば送信キー）を指定する操作である。操作制御部２０は、決定操作を受け付けなかった場合（Ｓ３０８：Ｎｏ）、ステップＳ３０６に戻り、決定操作を受け付けた場合には（Ｓ３０８：Ｙｅｓ）、ステップＳ３０９に進む。したがって、操作制御部２０は、文字入力画面４０３に対する文字を入力する操作を受け付ける毎に、入力された文字を宛先表示領域４０４に表示し、所定の決定操作を受け付けると、ステップＳ３０９に進む。
【００３２】
ステップＳ３０９では、操作制御部２０は、現時点で宛先表示領域４０４に表示されている文字列を送信先の宛先番号として取得し処理を終了する。例えば、操作制御部２０は、表示されている宛先番号を送信先の宛先番号として一時記憶部２１に記憶する。
【００３３】
ステップＳ３０２において第２キー群４０２のうちいずれかの第２キーを指定する操作を受け付けた場合、操作制御部２０は、宛先情報記憶部３０を参照し、指定された第２キーと関連付けられた宛先番号を送信先の宛先番号として取得し（Ｓ３１０）、処理を終了する。例えば、操作制御部２０は、第２キーと関連付けられた宛先番号を送信先の宛先番号として一時記憶部２１に記憶する。
【００３４】
上記の宛先情報記憶部３０の情報は、例えば、ユーザの入力により登録される。この場合、操作制御部２０は、タッチパネル１０を介して、第１キー４０１に対して１以上の文字を設定する操作を受け付け、当該設定された１以上の文字を第１キー４０１と関連付けて宛先情報記憶部３０に登録する。また、操作制御部２０は、タッチパネル１０を介して、いずれかの第２キーを選択して宛先番号を設定する操作を受け付け、当該設定された宛先番号を当該選択された第２キーと関連付けて宛先情報記憶部３０に登録する。
【００３５】
図４（ｂ）の例では、操作制御部２０は、１以上の第２キーが配置された画面（または第２キー群４０２の画面）４０５上に文字入力画面４０３を重畳して表示している。このとき、操作制御部２０は、画面４０５に配置された第２キーの各々の少なくとも一部分が表示されるような位置に、文字入力画面４０３を表示している。図４（ｂ）では、画面４０５には、文字入力画面４０３の表示前に表示されていた第２キーの全部が配置されている。ただし、画面４０５には、文字入力画面４０３の表示前と異なる個数の第２キーが配置されてもよく、例えば、宛先表示領域４０４を表示するために、文字入力画面４０３の表示前よりも少ない数の第２キーが配置されてもよい。
【００３６】
また、文字入力画面４０３の表示位置は、ユーザの設定により変更可能であってもよい。例えば、操作制御部２０は、表示画面Ｓにおける文字入力画面４０３の表示位置を設定する操作を受け付け、設定された表示位置に文字入力画面４０３を表示してもよい。
【００３７】
以下、図５〜図１４を参照して、通信装置１の具体例を示す。本例では、通信装置１は、複数のワンタッチキーを有し、そのうち１つのワンタッチキーが第１キーとして使用され、残りのワンタッチキーが第２キーとして使用される。
【００３８】
図５は、宛先情報記憶部３０に記憶される宛先情報テーブル５０１を示す。宛先情報テーブル５０１には、ワンタッチキー毎に、当該ワンタッチキーに割り付けられた固有のワンタッチ番号と、当該ワンタッチキーに対応する宛先の名称と、当該ワンタッチキーに対応する宛先番号とが関連付けて記録される。具体的には、宛先情報テーブル５０１は、複数のレコードを含み、各レコードは、ワンタッチ番号、宛先名称、および宛先番号の３つのフィールドで構成される。ワンタッチ番号フィールドは、各ワンタッチキーに割り付けられた固有のワンタッチ番号を記憶する。宛先名称フィールドは、宛先の名称を記憶する。宛先番号フィールドは、宛先の電話番号である宛先番号を記憶する。本例では、ワンタッチ番号「０００」のワンタッチキーが第１キーとして使用され、ワンタッチ番号「００１」以降のワンタッチキーが第２キーとして使用される。
【００３９】
図６〜図１１は、タッチパネル１０の表示画面Ｓに表示される画面を示す。
図６は、ファクス送信画面６０１を示す。ファクス送信画面６０１は、ワンタッチキー６０２、テンキー表示指示キー６０３、ワンタッチキー群６０４、宛先編集キー６０５、および送信キー６０６を含む。ワンタッチキー６０２は、ワンタッチ番号「０００」のワンタッチキー（すなわち第１キー）である。ワンタッチキー６０２には、当該ワンタッチキーに対応する宛先名称または宛先番号である「００」が表示されている。テンキー表示指示キー６０３は、後述する文字入力画面としての入力パネル１１０２を表示するためのキーである。ワンタッチキー群６０４は、ワンタッチ番号「００１」以降のワンタッチキー（すなわち第２キー）６０４−１，６０４−２，６０４−３，・・・を含む。ワンタッチキー群６０４の各ワンタッチキーには、当該ワンタッチキーに対応する宛先名称および宛先番号が表示されている。ワンタッチキー群６０４は、ワンタッチキー６０２と視覚的に区別して表示されている。例えば、ワンタッチキー群６０４は、ワンタッチキー６０２と異なる画面（例えばスクロール可能な画面）６０７に配置されている。宛先編集キー６０５は、後述する宛先編集画面８０１を表示するためのキーである。送信キー６０６は、送信を開始するためのキーである。
【００４０】
図７は、ワンタッチ番号「００３」のワンタッチキー６０４−３が押下された場合のファクス送信画面６０１の例を示す。図７では、ワンタッチ番号「００３」のワンタッチキー６０４−３は、当該ワンタッチキーが宛先として選択されていることを示す態様で表示されている。具体的には、ワンタッチキー６０４−３は、そのキー形状が窪んで見えるように視覚的に凹状に表示されている。
【００４１】
図８は、宛先編集画面８０１を示す。宛先編集画面８０１は、ワンタッチキー群８０２および「戻る」キー８０３を含む。ワンタッチキー群８０２は、編集対象となるワンタッチキーを含み、ここでは、ワンタッチ番号「０００」のワンタッチキーと、ワンタッチ番号「００１」以降のワンタッチキーとを含む。「戻る」キー８０３は、ファクス送信画面６０１に戻るためのキーである。
【００４２】
図９は、宛先名称編集画面９０１を示す。宛先名称編集画面９０１は、宛先名称表示領域（または宛先名称入力欄）９０２、ソフトキーボード９０３、「戻る」キー９０４、および「次へ」キー９０５を含む。宛先名称表示領域９０２は、ソフトキーボード９０３により入力された文字列（または宛先名称）を表示する。ソフトキーボード９０３は、各種文字キーと、文字入力制御のための各種制御キーとを含む。「戻る」キー９０４は、編集内容を破棄して宛先編集画面８０１に戻るためのキーである。「次へ」キー９０５は、宛先名称表示領域９０２の表示内容を宛先名称として確定し、以下の宛先番号編集画面１００１に進むためのキーである。
【００４３】
図１０は、宛先番号編集画面１００１を示す。宛先番号編集画面１００１は、宛先番号表示領域（または宛先番号入力欄）１００２、テンキー１００３、バックスペースキー（ＢＳキー）１００４、「戻る」キー１００５、および「完了」キー１００６を含む。宛先番号表示領域１００２は、テンキー１００３により入力された文字列（または宛先番号）を表示する。テンキー１００３は、０〜９の数字キーと、「＊」キーと、「＃」キーとを含む。バックスペースキー１００４は、テンキー１００３により入力された文字を１文字削除するためのキーである。「戻る」キー１００５は、編集内容を破棄して宛先名称編集画面９０１に戻るためのキーである。「完了」キー１００６は、宛先番号表示領域１００２の表示内容を宛先番号として確定するためのキーである。
【００４４】
図１１は、ワンタッチ番号「０００」のワンタッチキー６０２が押下された場合のファクス送信画面６０１の例を示す。図１１において、ファクス送信画面６０１は、ワンタッチキー６０２、テンキー表示指示キー６０３、ワンタッチキー群６０４、宛先編集キー６０５、および送信キー６０６に加えて、宛先表示領域（または宛先入力欄）１１０１および入力パネル１１０２を含む。宛先表示領域１１０１は、入力パネル１１０２により入力された文字列（または宛先番号）を表示する。入力パネル１１０２は、テンキー１１０３、バックスペースキー（ＢＳキー）１１０４、および閉じるキー１１０５を含む。テンキー１１０３は、０〜９の数字キーと、「＊」キーと、「＃」キーとを含む。バックスペースキー１１０４は、テンキー１１０３により入力された文字を１文字削除するためのキーである。閉じるキー１１０５は、入力パネル１１０２を閉じるためのキーである。宛先表示領域１１０１は、宛先番号の入力位置を示すカーソル１１０６を含む。
【００４５】
図１２〜図１４は、操作制御部２０の動作を示すフローチャートである。
図１２は、宛先情報テーブルを編集するための宛先編集動作を示すフローチャートである。
【００４６】
操作制御部２０は、ファクス送信画面６０１において宛先編集キー６０５が押下されると、宛先編集画面８０１を表示する（Ｓ１２０１）。
【００４７】
操作制御部２０は、宛先編集画面８０１のワンタッチキー群８０２のいずれかのワンタッチキーが押下されると（Ｓ１２０２：Ｙｅｓ）、宛先名称編集画面９０１を表示する（Ｓ１２０３）。
【００４８】
操作制御部２０は、宛先名称編集画面９０１においてソフトキーボード９０３に対する入力操作を受け付けると、当該入力操作による入力内容を宛先名称表示領域９０２に表示する（Ｓ１２０４）。
【００４９】
操作制御部２０は、宛先名称編集画面９０１において「次へ」キー９０５が押下されると（Ｓ１２０５：Ｙｅｓ）、宛先番号編集画面１００１を表示する（Ｓ１２０６）。
【００５０】
操作制御部２０は、宛先番号編集画面１００１においてテンキー１００３に対する入力操作を受け付けると、当該入力操作による入力内容を宛先番号表示領域１００２に表示する（Ｓ１２０７）。
【００５１】
操作制御部２０は、宛先番号編集画面１００１において「完了」キー１００６が押下されると（Ｓ１２０８：Ｙｅｓ）、ステップＳ１２０４で入力された宛先名称（すなわち「次へ」キー９０５の押下時点で宛先名称表示領域９０２に表示されていた文字列）と、ステップＳ１２０７で入力された宛先番号（すなわち「完了」キー１００６の押下時点で宛先番号表示領域１００２に表示されていた文字列）とを、ステップＳ１２０２で選択されたワンタッチキーのワンタッチ番号と関連付けて宛先情報記憶部３０の宛先情報テーブルに登録し（Ｓ１２０９）、ファクス送信画面６０１を表示し、宛先編集動作を終了する。
【００５２】
図１３は、送信時に送信先の宛先番号を取得するための宛先番号取得動作（例えば図２のステップＳ２０１の動作）を示すフローチャートである。
【００５３】
操作制御部２０は、ファクス送信画面６０１においてキーの押下を検知する（Ｓ１３０１）。
ステップＳ１３０１においてワンタッチキー６０２またはテンキー表示指示キー６０３の押下が検知された場合、操作制御部２０は、図１１に示すように、ファクス送信画面６０１において、ワンタッチキー群６０４を１行分下に移動し（Ｓ１３０２）、宛先表示領域１１０１と入力パネル１１０２とを表示する（Ｓ１３０３）。このとき、操作制御部２０は、ワンタッチキー群６０４に含まれる各ワンタッチキーの少なくとも一部分を表示するような位置に、入力パネル１１０２を表示する。続いて、操作制御部２０は、Ｓ１３０１で押下が検知されたキーがテンキー表示指示キー６０３か否かを判断する（Ｓ１３０４）。そして、テンキー表示指示キー６０３でない場合（Ｓ１３０４：Ｎｏ）、操作制御部２０は、ワンタッチ番号「０００」番の宛先番号「００」を宛先情報記憶部３０から読み出し、当該宛先番号「００」を宛先表示領域１１０１に表示し（Ｓ１３０５）、図１４の宛先番号入力動作を実行する（Ｓ１３０６）。一方、テンキー表示指示キー６０３である場合（Ｓ１３０４：Ｙｅｓ）、ステップＳ１３０５を実行せずに、宛先番号入力動作を実行する（Ｓ１３０６）。宛先番号入力動作では、以下のように、入力パネル１１０２による宛先番号の入力が行われる。
【００５４】
図１４において、操作制御部２０は、図１１のファクス送信画面６０１においてキーの押下を検知する（Ｓ１４０１）。
【００５５】
ステップＳ１４０１においてテンキー１１０３のいずれかのキーの押下が検知された場合、操作制御部２０は、押下されたキーに対応する数字を宛先表示領域１１０１に追加して表示し、カーソル１１０６を右に１桁移動し（Ｓ１４０２）、ステップＳ１４０１に戻る。
【００５６】
ステップＳ１４０１においてバックスペースキー１１０４の押下が検知された場合、操作制御部２０は、カーソル１１０６のすぐ左にある１桁分の数字を消去し（Ｓ１４０３）、ステップＳ１４０１に戻る。
【００５７】
ステップＳ１４０１において「閉じる」キー１１０５の押下が検知された場合、操作制御部２０は、入力パネル１１０２を画面から消去し（Ｓ１４０４）、宛先番号入力動作を終了する。
【００５８】
ステップＳ１４０１において送信キー６０６の押下が検知された場合、宛先番号入力動作を終了し、図１３のステップＳ１３０８に進む。
【００５９】
再び図１３を参照すると、ステップＳ１３０１においてワンタッチキー群６０４のいずれかのワンタッチキーの押下が検知された場合、操作制御部２０は、図７に示すように、押下されたワンタッチキーを凹状に表示し（Ｓ１３０７）、ステップＳ１３０１に戻る。
【００６０】
ステップＳ１３０１において送信キー６０６の押下が検知された場合、操作制御部２０は、ステップＳ１３０８に進む。
【００６１】
ステップＳ１３０８では、操作制御部２０は、宛先番号が入力済みか否かを判断し（Ｓ１３０８）、入力済みの場合（Ｓ１３０８：Ｙｅｓ）、入力済みの宛先番号を送信先の宛先番号として一時記憶部２１に記憶し（Ｓ１３０９）、宛先番号取得処理を終了する。一方、入力済みでない場合（Ｓ１３０８：Ｎｏ）、操作制御部２０は、ステップＳ１３０１に戻る。具体的には、操作制御部２０は、宛先番号入力動作による宛先番号の入力が行われた場合、宛先表示領域１１０１に表示されている内容を一時記憶部２１に記憶し、ワンタッチキー群６０４のいずれかのワンタッチキーが押下された場合、当該押下されたワンタッチキー（すなわち凹状表示されているワンタッチキー）の宛先番号を宛先情報記憶部３０から読み出して一時記憶部２１に記憶し、これら以外の場合には、ステップＳ１３０１に戻る。
【００６２】
なお、上記の説明では、図１１のように、入力パネル１１０２を宛先表示領域１１０１の右側に配置する例を示したが、左利きのユーザを考慮し、図１５のように、入力パネル１１０２を宛先表示領域１１０１の左側に配置する構成も可能である。
【００６３】
また、上記の説明では、ファクシミリ送信の例を示したが、通信装置１は、電子メール送信など、ファクシミリ送信以外の送信を行うものであってもよい。すなわち、本発明は、ファクシミリ装置に限られず、他の通信装置にも適用可能である。したがって、宛先情報は、電話番号に限られず、例えばメールアドレスでもよい。また、文字入力画面は、テンキー画面に限られず、例えばキーボード画面でもよい。例えば、操作制御部２０は、図１６のように、電子メール送信画面１６０１にメールアドレス表示領域１６０２およびＱＷＥＲＴＹキーボード１６０３を表示し、ＱＷＥＲＴＹキーボード１６０３によるメールアドレスの入力を受け付け、入力されたメールアドレス宛に電子メールを送信してもよい。
【００６４】
以上説明した本実施の形態１によれば、下記（１）〜（４）の効果が得られる。
（１）操作制御部は、予め設定された１以上の文字と関連付けられた第１キーを表示画面に表示し、第１キーを指定する操作を受け付けた場合に、表示画面に文字入力画面を表示し、文字入力画面に対する１以上の文字を入力する操作を受け付け、指定された第１キーと関連付けられた１以上の文字と上記入力された１以上の文字とで構成される文字列を送信先の宛先情報として取得する。これにより、宛先情報を取得する際の表示画面の利用効率および操作効率が良い通信装置を提供することができる。
【００６５】
具体的には、文字入力画面を最初から表示画面に表示する構成では、文字入力画面が使用されないときにも、表示画面において文字入力画面分の領域が消費される。例えば、ユーザが電話番号をテンキー入力するか、第２キーなど予め登録された宛先より選択するか確定していない段階でテンキーをタッチパネル上に表示すると、テンキーが不要な場合においても、テンキー分（例えば１２キー分）の面積を消費し、その分第２キーなどを表示できなくなる。これに対し、本実施の形態では、第１キーを指定する操作を受け付けた場合に、表示画面に文字入力画面を表示するので、第１キーが指定されるまでの期間において、文字入力画面分の領域を第２キーなどの他のキーや他の情報の表示に利用することができる。このため、本実施の形態によれば、文字入力画面を最初から表示画面に表示する構成と比較して、表示画面を効率良く利用することができる。
【００６６】
また、文字入力画面を表示させるための専用キーを設け、当該専用キーが操作されたときに文字入力画面を表示画面に表示する構成では、文字入力画面を表示させるためだけに１操作ステップを要し、文字入力画面を最初から表示画面に表示する構成と比較して、操作効率が低下してしまう。これに対し、本実施の形態では、第１キーを指定する操作を受け付けた場合に、第１キーと関連付けられた１以上の文字を含む文字列を送信先の宛先情報として取得するので、第１キーを指定する操作により、第１キーと関連付けられた１以上の文字について、文字を入力する操作が不要となる。このため、本実施の形態によれば、文字入力画面を最初から表示画面に表示する構成と比較して、同等かそれ以上の操作効率で宛先情報を取得することができる。
【００６７】
より具体的には、本実施の形態では、ユーザは、第１キーを押下することにより、第１キーと関連付けられた１以上の文字の入力と、テンキーの表示とを同時に行うことができる。すなわち、第１キーは、所定の文字を入力する手段およびテンキーを表示する手段として機能する。このため、例えば宛先番号の先頭として最も使用頻度が高い「０」や外線発信番号を第１キーと関連付けて登録しておけば、最初からテンキーが表示されている場合と同等の操作効率で、テンキーによる宛先番号の入力を行うことができる。また、テンキーが必要な場合にのみテンキーが表示され、テンキーが不要な場合にはテンキーが表示されないため、その分の面積を第２キーなどの表示に利用することができ、タッチパネルの面積を有効利用できる。
【００６８】
（２）操作制御部は、第１キーを指定する操作を受け付けた場合に、指定された第１キーと関連付けられた１以上の文字を表示画面上の宛先表示領域に表示し、文字入力画面に対する文字を入力する操作を受け付ける毎に、入力された文字を宛先表示領域に表示する。本構成によれば、ユーザは、第１キーと関連付けられた１以上の文字を含めて、入力済みの文字を確認しながら文字の入力を行うことができる。
【００６９】
（３）操作制御部は、第１キーを指定する操作を受け付けた場合に、表示画面に上記宛先表示領域を表示する。本構成によれば、宛先表示領域を最初から表示画面に表示する構成と比較して、表示画面を効率良く利用することができる。
【００７０】
（４）操作制御部は、１以上の第２キーが配置された画面上に文字入力画面を重畳して表示する場合、上記画面に配置された第２キーの各々の少なくとも一部分が表示されるような位置に、文字入力画面を表示する。本構成によれば、上記画面に配置された全ての第２キーを少なくとも部分的に表示することができ、ユーザに与える実効情報量を確保することができる。
【００７１】
実施の形態２．
以下、実施の形態２に係る通信装置について説明する。以下の説明では、実施の形態１と同様の部分については説明を省略または簡略化し、実施の形態１と同一または対応する要素については同一の符号を付す。
【００７２】
本実施の形態では、通信装置１は、第１キーを複数有する。
宛先番号取得動作において、操作制御部２０は、図１７（ａ）に示すように、タッチパネル１０の表示画面Ｓに第１キー群１７０１を表示する。
【００７３】
第１キー群１７０１は、複数の第１キー１７０１ａ，１７０１ｂ，１７０１ｃ，・・・を含む。複数の第１キーは、それぞれ予め設定された１以上の文字と関連付けられている。具体的には、各第１キーは、宛先番号の一部（例えば前部）を構成する１以上の文字からなる文字列と関連付けられている。第１キー群１７０１に含まれる第１キーと１以上の文字との関連付けは、宛先情報記憶部３０に記憶される。
【００７４】
操作制御部２０は、第１キー群１７０１に含まれる複数の第１キーのいずれかを指定する操作を受け付けた場合、表示画面Ｓに文字入力画面を表示し、文字入力画面に対する１以上の文字を入力する操作を受け付け、指定された第１キーと関連付けられた１以上の文字と、入力された１以上の文字とで構成される文字列を送信先の宛先番号として取得する。例えば、操作制御部２０は、文字入力画面を介して、宛先番号の残部（例えば後部）を構成する１以上の文字からなる文字列の入力を受け付け、指定された第１キーと関連付けられた文字列と入力された文字列とからなる文字列を送信先の宛先番号として取得する。
【００７５】
具体的には、操作制御部２０は、図１７（ｂ）に示すように、文字入力画面１７０３を表示画面Ｓに表示する。また、操作制御部２０は、宛先表示領域１７０４を表示画面Ｓに表示し、指定された第１キーと関連付けられた１以上の文字を宛先表示領域１７０４に表示する。
【００７６】
操作制御部２０は、文字入力画面１７０３に対する文字を入力する操作を受け付ける毎に、入力された文字を宛先表示領域１７０４に表示し、所定の決定操作を受け付けると、その時点で宛先表示領域１７０４に表示されている文字列を送信先の宛先番号として取得し処理を終了する。
【００７７】
上記の宛先情報記憶部３０の情報は、例えば、ユーザの入力により登録される。この場合、操作制御部２０は、タッチパネル１０を介して、いずれかの第１キーを選択して１以上の文字を設定する操作を受け付け、当該設定された１以上の文字を当該選択された第１キーと関連付けて宛先情報記憶部３０に登録する。
【００７８】
図１７（ｂ）の例では、操作制御部２０は、複数の第１キーが配置された画面（または第１キー群１７０１の画面）１７０５上に文字入力画面１７０３を重畳して表示している。このとき、操作制御部２０は、画面１７０５に配置された第１キーの各々の少なくとも一部分が表示されるような位置に、文字入力画面１７０３を表示している。図１７（ｂ）では、画面１７０５には、文字入力画面１７０３の表示前に表示されていた第１キーの全部が配置されている。ただし、画面１７０５には、文字入力画面１７０３の表示前と異なる個数の第１キーが配置されてもよく、例えば、宛先表示領域１７０４を表示するために、文字入力画面１７０３の表示前よりも少ない数の第１キーが配置されてもよい。
【００７９】
以下、図１８〜図２２を参照して、実施の形態２に係る通信装置１の具体例を示す。本例では、通信装置１は、複数のワンタッチキーを有し、すべてのワンタッチキーが第１キーとして使用される。
【００８０】
図１８は、宛先情報記憶部３０に記憶される宛先情報テーブル１８０１を示す。宛先情報テーブル１８０１には、ワンタッチキー毎に、当該ワンタッチキーに割り付けられた固有のワンタッチ番号と、当該ワンタッチキーに対応する宛先の名称と、当該ワンタッチキーに対応する番号（または文字列）とが関連付けて記録される。具体的には、宛先情報テーブル１８０１は、複数のレコードを含み、各レコードは、ワンタッチ番号、宛先名称、および宛先番号の３つのフィールドで構成される。ワンタッチ番号フィールドは、各ワンタッチキーに割り付けられた固有のワンタッチ番号を記憶する。宛先名称フィールドは、宛先の名称を記憶する。宛先番号フィールドは、宛先の電話番号（宛先番号）の一部の番号を記憶する。
【００８１】
図１９〜図２１は、タッチパネル１０の表示画面Ｓに表示される画面を示す。
図１９は、ファクス送信画面６０１を示す。ファクス送信画面６０１は、実施の形態１の図６と同様に、ワンタッチキー６０２、テンキー表示指示キー６０３、ワンタッチキー群６０４、宛先編集キー６０５、および送信キー６０６を含む。ワンタッチキー群６０４は、ワンタッチキー６０４−１，６０４−２，６０４−３，・・・を含む。
【００８２】
図２０は、ワンタッチ番号「０００」のワンタッチキー６０２が押下された場合のファクス送信画面６０１の例を示す。図２０において、ファクス送信画面６０１は、実施の形態１の図１１と同様に、ワンタッチキー６０２、テンキー表示指示キー６０３、ワンタッチキー群６０４、宛先編集キー６０５、および送信キー６０６に加えて、宛先表示領域１１０１および入力パネル１１０２を含む。
【００８３】
図２１は、ワンタッチ番号「００１」のワンタッチキー６０４−１が押下された場合のファクス送信画面６０１の例を示す。図２１において、ファクス送信画面６０１は、実施の形態１の図１１と同様に、ワンタッチキー６０２、テンキー表示指示キー６０３、ワンタッチキー群６０４、宛先編集キー６０５、および送信キー６０６に加えて、宛先表示領域１１０１および入力パネル１１０２を含む。また、ワンタッチ番号「００１」のワンタッチキー６０４−１は、当該ワンタッチキーが宛先として選択されていることを示す態様で表示されている。具体的には、ワンタッチキー６０４−１のキー形状は、窪んで見えるように凹状に表示されている。
【００８４】
なお、実施の形態２における宛先編集画面、宛先名称編集画面、および宛先番号編集画面は、それぞれ、実施の形態１の図８、図９、および図１０と同様である。
【００８５】
また、実施の形態２における宛先編集動作および送信動作は、それぞれ、実施の形態１の図１２および図２と同様である。
【００８６】
図２２は、実施の形態２における宛先番号取得動作（例えば図２のステップＳ２０１の動作）を示すフローチャートである。
【００８７】
操作制御部２０は、ファクス送信画面６０１においてキーの押下を検知する（Ｓ２２０１）。
ステップＳ２２０１においてワンタッチキー６０２またはテンキー表示指示キー６０３の押下が検知された場合、操作制御部２０は、図２０に示すように、ファクス送信画面６０１において、ワンタッチキー群６０４を１行分下に移動し（Ｓ２２０２）、宛先表示領域１１０１と入力パネル１１０２とを表示し（Ｓ２２０３）、ステップＳ２２０４に進む。このとき、操作制御部２０は、ワンタッチキー群６０４に含まれる各ワンタッチキーの少なくとも一部分を表示するような位置に、入力パネル１１０２を表示する。
【００８８】
ステップＳ２２０１においてワンタッチキー群６０４のいずれかのワンタッチキーの押下が検知された場合、操作制御部２０は、図２１に示すように、押下されたワンタッチキーを凹状に表示し（Ｓ２２０７）、ワンタッチキー群６０４を１行分下に移動し（Ｓ２２０２）、宛先表示領域１１０１と入力パネル１１０２とを表示し（Ｓ２２０３）、ステップＳ２２０４に進む。このとき、操作制御部２０は、ワンタッチキー群６０４に含まれる各ワンタッチキーの少なくとも一部分を表示するような位置に、入力パネル１１０２を表示する。
【００８９】
ステップＳ２２０４では、操作制御部２０は、Ｓ２２０１で押下が検知されたキーがテンキー表示指示キー６０３か否かを判断する。そして、テンキー表示指示キー６０３でない場合（Ｓ２２０４：Ｎｏ）、操作制御部２０は、選択されたワンタッチキーの宛先番号を宛先情報記憶部３０から読み出し、当該宛先番号を宛先表示領域１１０１に表示し（Ｓ２２０５）、図１４の宛先番号入力動作を実行する（Ｓ２２０６）。一方、テンキー表示指示キー６０３である場合（Ｓ２２０４：Ｙｅｓ）、ステップＳ２２０５を実行せずに、宛先番号入力動作を実行する（Ｓ２２０６）。宛先番号入力動作では、実施の形態１と同様に、入力パネル１１０２による宛先番号の入力が行われる。
【００９０】
ステップＳ２２０１において送信キー６０６の押下が検知された場合、操作制御部２０は、ステップＳ２２０８に進む。
【００９１】
ステップＳ２２０８では、操作制御部２０は、宛先番号が入力済みか否かを判断し、入力済みの場合（Ｓ２２０８：Ｙｅｓ）、宛先表示領域１１０１に表示されている内容を送信先の宛先番号として一時記憶部２１に記憶し（Ｓ２２０９）、宛先番号取得処理を終了する。一方、入力済みでない場合（Ｓ２２０８：Ｎｏ）、操作制御部２０は、ステップＳ２２０１に戻る。
【００９２】
なお、文字入力画面の表示に関し、操作制御部２０は、下記（Ａ）または（Ｂ）のように構成されてもよい。
【００９３】
（Ａ）操作制御部２０は、指定された第１キーと重ならない位置に、文字入力画面を表示する。例えば、上記具体例において、操作制御部２０は、図２３のように、複数のワンタッチキーのうち選択されたワンタッチキー６０４−３については、その全体が表示されるように入力パネル１１０２の表示位置を調整する。
【００９４】
（Ｂ）操作制御部２０は、複数の第１キーが配置された画面に含まれるいずれかの第１キーを指定する操作を受け付けて文字入力画面を表示する場合、上記画面と文字入力画面とが重ならないように、上記画面を縮小して表示する。例えば、操作制御部２０は、図１７（ａ）において、第１キー群１７０１に含まれるいずれかの第１キーを指定する操作を受け付けた場合、図１７（ｂ）において、第１キー群１７０１の画面１７０５と文字入力画面１７０３とが重ならないように、画面１７０５を縮小して表示する。また例えば、上記具体例において、操作制御部２０は、図２４のように、ワンタッチキー群６０４に含まれるワンタッチキー６０４−１が押下された場合、ワンタッチキー群６０４と入力パネル１１０２とが重ならないように、ワンタッチキー群６０４全体を縮小して表示する。
【００９５】
また、上記の説明では、第２キーが存在しない場合を例示したが、実施の形態２においても、１以上の第２キーが使用されてもよい。例えば、上記の具体例では、すべてのワンタッチキーを第１キーとして使用する場合を例示したが、複数のワンタッチキーのうち、一部の１または複数のワンタッチキーを第２キーとして使用してもよい。例えば、ワンタッチキー群６０４の一部のワンタッチキーを第２キーとして使用してもよい。
【００９６】
以上のように、実施の形態２によれば、複数の第１キーを有するので、実施の形態１の効果に加え、複数の外線発信番号や国際電話の複数の国番号など、複数の番号を使い分けることができ、さらに利便性が増す。
【００９７】
また、指定された第１キー（例えば押下されたワンタッチキー）と重ならないように文字表示画面の表示位置を調整することや、第１キー群（例えばワンタッチキー群）を縮小して表示することにより、ユーザに与える実効情報量を低下させることなく、上記の効果を得ることができる。
【００９８】
なお、上記実施の形態１および２において、操作制御部２０は、電子回路などのハードウェア資源のみにより実現されてもよいし、ハードウェア資源とソフトウェアとの協働により実現されてもよい。ハードウェア資源とソフトウェアとの協働により実現される場合、操作制御部２０は、例えばコンピュータプログラムがコンピュータにより実行されることによって実現され、より具体的には、ＲＯＭ（Ｒｅａｄ  Ｏｎｌｙ  Ｍｅｍｏｒｙ）等の記録媒体に記録されたコンピュータプログラムが主記憶装置に読み出されて中央処理装置（ＣＰＵ：Ｃｅｎｔｒａｌ  Ｐｒｏｃｅｓｓｉｎｇ  Ｕｎｉｔ）により実行されることによって実現される。コンピュータプログラムは、光ディスク等のコンピュータ読み取り可能な記録媒体に記録されて提供されてもよいし、インターネット等の通信回線を介して提供されてもよい。
【００９９】
また、本発明は、上記実施の形態に限定されるものではなく、本発明の要旨を逸脱しない範囲内において種々の態様で実施することができる。例えば、本発明は、ファクシミリ装置に限られず、複合機能装置など、タッチパネルを備えた他の通信装置に適用されてもよい。また、上記実施の形態では、タッチパネルの実装方式として抵抗膜方式を用いる例を示したが、静電容量方式などの他の方式を用いてもよい。また、上記実施の形態では、表示入力手段としてタッチパネルを例示したが、表示入力手段は、他の種類のユーザインタフェースであってもよく、表示部１１と入力部１２とは必ずしも物理的に一体でなくてもよい。
【符号の説明】
【０１００】
１  通信装置、  １０  タッチパネル、  １１  表示部、  １２  入力部、  ２０  操作制御部、  ２１  記憶部（一時記憶部）、  ３０  宛先情報記憶部、  ４０  原稿読取部、  ５０  通信部。
【図１】
2015096989.tif 000003
【図２】
2015096989.tif 000004
【図３】
2015096989.tif 000005
【図４】
2015096989.tif 000006
【図５】
2015096989.tif 000007
【図６】
2015096989.tif 000008
【図７】
2015096989.tif 000009
【図８】
2015096989.tif 000010
【図９】
2015096989.tif 000011
【図１０】
2015096989.tif 000012
【図１１】
2015096989.tif 000013
【図１２】
2015096989.tif 000014
【図１３】
2015096989.tif 000015
【図１４】
2015096989.tif 000016
【図１５】
2015096989.tif 000017
【図１６】
2015096989.tif 000018
【図１７】
2015096989.tif 000019
【図１８】
2015096989.tif 000020
【図１９】
2015096989.tif 000021
【図２０】
2015096989.tif 000022
【図２１】
2015096989.tif 000023
【図２２】
2015096989.tif 000024
【図２３】
2015096989.tif 000025
【図２４】
2015096989.tif 000026